(57)【要約】【課題】複合電子装置の動作モードと異なるコードのリモコン信号を受信したとき、或いは異なる他のリモコン信号を受信したとき、リモコン信号が異なることをユーザに報知することができるようにする。【解決手段】リモコン装置から送信されたリモコン信号を受信したとき、受信したリモコン信号が複合電子装置の動作モードに対応したコードのリモコン信号であるか否かを判別して、受信したリモコン信号が複合電子装置の動作モードと異なるコードのリモコン信号であるとき、リモコン信号のコードが異なることを表示し、受信したリモコン信号が複合電子装置の動作を指令するリモコン信号と異なるリモコン信号であるとき、リモコン信号が異なることを表示するようにする。【選択図】　　　　図１
0003098506.tif 000002
【実用新案登録請求の範囲】
【請求項１】
異なるコードのリモコン信号により動作する複数のＡＶ機器を動作させる動作モードを切り換えて映像音声信号を記録又は再生する複合電子装置であって、
リモコン装置から送信されたリモコン信号を受信する受信手段と、前記受信手段により受信されたリモコン信号が複合電子装置の動作モードに対応したコードのリモコン信号であるか否かを判別する判別手段と、前記判別手段が前記受信手段により受信されたリモコン信号が複合電子装置の動作モードと異なるコードのリモコン信号であると判別したとき、リモコン信号のコードが異なることを表示し、前記判別手段が前記受信手段により受信されたリモコン信号が複合電子装置の動作を指令するリモコン信号と異なるリモコン信号であると判別したとき、リモコン信号が異なることを表示する表示手段と、前記判別手段が前記受信手段により受信されたリモコン信号が複合電子装置の動作モードと異なるコードのリモコン信号であると判別したとき、前記受信手段により受信されたリモコン信号のコードに対応したＡＶ機器をバックグラウンドで動作させる制御手段とを備えたことを特徴とする複合電子装置。
【請求項２】
異なるコードのリモコン信号により動作する複数のＡＶ機器を動作させる動作モードを切り換えて映像音声信号を記録又は再生する複合電子装置であって、
リモコン装置から送信されたリモコン信号を受信する受信手段と、前記受信手段により受信されたリモコン信号が複合電子装置の動作モードに対応したコードのリモコン信号であるか否かを判別する判別手段と、前記判別手段により判別された判別結果を表示する表示手段と、前記判別手段により判別された判別結果に基づいて複合電子装置の動作を制御する制御手段とを備えたことを特徴とする複合電子装置。
【請求項３】
前記表示手段は、前記判別手段が前記受信手段により受信されたリモコン信号が複合電子装置の動作モードと異なるコードのリモコン信号であると判別したとき、リモコン信号のコードが異なることを表示する表示手段であること特徴とする請求項２記載の複合電子装置。
【請求項４】
前記表示手段は、前記判別手段が前記受信手段により受信されたリモコン信号が複合電子装置の動作を指令するリモコン信号と異なるリモコン信号であると判別したとき、リモコン信号が異なることを表示する表示手段であることを特徴とする請求項２記載の複合電子装置。
【請求項５】
前記制御手段は、前記判別手段が前記受信手段により受信されたリモコン信号が複合電子装置の動作モードと異なるコードのリモコン信号であると判別したときに、前記受信手段により受信されたリモコン信号のコードに対応したＡＶ機器をバックグラウンドで動作させる制御手段であることを特徴とする請求項２記載の複合電子装置。
【考案の詳細な説明】
【０００１】
【考案の属する技術分野】本考案は、ビデオテープに映像音声信号を記録再生するＶＣＲ（Ｖｉｄｅｏ　Ｃａｓｓｅｔｔｅ　Ｒｅｃｏｒｄｅｒ）装置、ＤＶＤ（Ｄｉｇｉｔａｌ　Ｖｅｒｓａｔｉｌｅ　Ｄｉｓｃ）等の光ディスクに記録された映像音声信号を再生するＤＶＤ装置等の複数のＡＶ（Ａｕｄｉｏ　Ｖｉｓｕａｌ）機器が組み込まれた複合電子装置に係り、特に複合電子装置の動作モードと異なるリモコン信号を受信したとき、ユーザにその旨を報知する機能を有する複合電子装置に関する。
【０００２】
【従来の技術】周知のように、ＶＣＲ装置、ＤＶＤ装置等の複数のＡＶ機器が組み込まれた複合電子装置を遠隔操作するリモコン装置には、複合電子装置に組み込まれた複数のＡＶ機器を動作させる動作モードの切り換えを指令する複数のモード切換キーと複数のＡＶ機器の動作を指令する複数の共通キーとが設けられていて、リモコン装置のモード切換キーを操作することにより、複合電子装置の動作モードが切り換えられ、共通キーが操作されたとき、複合電子装置の動作モードに対応したコードのリモコン信号がリモコン装置から送信され、複合電子装置を所望動作させることができるようになっている。しかし、ユーザがリモコン装置のモード切換キーを操作せずに共通キーを操作したときに、複合電子装置の動作モードと異なるコードのリモコン信号がリモコン装置から送信された場合、ユーザがリモコン信号のコードが複合電子装置の動作モードと異なることに気付かず、複合電子装置に組み込まれたＡＶ機器が所望動作しないという問題点があった。
【０００３】従来の技術としては、遠隔制御装置から送信された制御信号に基づいて、複数のＡＶ機器からの映像信号を切り換え、選択された映像信号に基づいた映像を画面に表示するとき、選択されたＡＶ機器を操作するために必要な操作メニュを画面に表示するとともに、選択されたＡＶ機器を制御する制御信号を生成して、生成された制御信号を選択されたＡＶ機器に送信し、表示された操作メニュを選択して、選択されたＡＶ機器を操作するようにしたものがあった（例えば、特許文献１参照）。
【０００４】また、リモコン装置から送信された制御信号に基づいて、テレビ受像機に内蔵されたチューナ入力とテレビ受像機に接続された複数のＡＶ機器の入力とを切り換えて入力モードを選択して、選択された入力モードをテレビ受像機からリモコン装置に送信し、テレビ受像機及びテレビ受像機に接続された複数のＡＶ機器の操作に共通するリモコン装置の操作キーが操作されたとき、テレビ受像機から送信された入力モードに対応したコードのリモコン信号をリモコン装置から送信するようにしたものがあった（例えば、特許文献２参照）。
【０００５】
【特許文献１】特開平５−３３６３９８号公報
【特許文献２】特開平６−３１１３８５号公報
【０００６】
【考案が解決しようとする課題】しかしながら、従来の技術で述べたもののうち前者においては、遠隔制御装置から送信された制御信号に基づいて、複数のＡＶ機器からの映像信号を切り換え、選択された映像信号に基づいた映像を画面に表示するとき、選択されたＡＶ機器を操作するために必要な操作メニュを画面に表示するとともに、選択されたＡＶ機器を制御する制御信号を生成して、生成された制御信号を選択されたＡＶ機器に送信し、表示された操作メニュを選択して、選択されたＡＶ機器を操作することができたが、遠隔制御装置から送信された制御信号により操作メニュが選択されたとき、選択されたＡＶ機器を制御する制御信号を別に生成して、選択されたＡＶ機器に生成された制御信号を送信しなければならないという問題点があった。
【０００７】また、後者においては、リモコン装置から送信された制御信号に基づいて、テレビ受像機に内蔵されたチューナ入力とテレビ受像機に接続された複数のＡＶ機器の入力とを切り換えて入力モードを選択して、選択された入力モードをテレビ受像機からリモコン装置に送信し、テレビ受像機及びテレビ受像機に接続された複数のＡＶ機器の操作に共通するリモコン装置の操作キーが操作されたとき、テレビ受像機から送信された入力モードに対応したコードのリモコン信号をリモコン装置から送信することができたが、選択された入力モードをテレビ受像機からリモコン装置に送信して、送信されたテレビ受像機の入力モードをリモコン装置が受信しなければならず、テレビ受像機とリモコン装置との間での双方向に通信をしなければならないという問題点があった。
【０００８】本考案は、従来の技術の有するこのような問題点に鑑みてなされたものであり、その目的とするところは、複合電子装置の動作モードと異なるコードのリモコン信号を受信したとき、或いは異なる他のリモコン信号を受信したとき、リモコン信号が異なることをユーザに報知することができる複合電子装置を提供しようとするものである。
【０００９】
【課題を解決するための手段】上記目的を達成するために、本考案における複合電子装置は、異なるコードのリモコン信号により動作する複数のＡＶ機器を動作させる動作モードを切り換えて映像音声信号を記録又は再生する複合電子装置であって、リモコン装置から送信されたリモコン信号を受信する受信手段と、前記受信手段により受信されたリモコン信号が複合電子装置の動作モードに対応したコードのリモコン信号であるか否かを判別する判別手段と、前記判別手段により判別された判別結果を表示する表示手段と、前記判別手段により判別された判別結果に基づいて複合電子装置の動作を制御する制御手段とを備える。
【００１０】前記表示手段は、前記判別手段が前記受信手段により受信されたリモコン信号が複合電子装置の動作モードと異なるコードのリモコン信号であると判別したとき、リモコン信号のコードが異なることを表示するようにする。
【００１１】また、前記表示手段は、前記判別手段が前記受信手段により受信されたリモコン信号が複合電子装置の動作を指令するリモコン信号と異なるリモコン信号であると判別したとき、リモコン信号が異なることを表示するようにする。
【００１２】前記制御手段は、前記判別手段が前記受信手段により受信されたリモコン信号が複合電子装置の動作モードと異なるコードのリモコン信号であると判別したときに、前記受信手段により受信されたリモコン信号のコードに対応したＡＶ機器をバックグラウンドで動作させるようにするとよい。
【００１３】上記のように構成することにより、複合電子装置の動作モードと異なるコードのリモコン信号を受信したとき、或いは異なる他のリモコン信号を受信したとき、リモコン信号が異なることをユーザに報知することができる。
【００１４】
【考案の実施の形態】以下、適宜図面を参照しながら本考案の実施の形態を詳述する。図１は本考案の実施の形態に係る複合電子装置の構成を示すブロック図であり、図２は本考案の実施の形態に係る複合電子装置のリモコン装置を示す説明図であり、図３は本考案の実施の形態に係る複合電子装置の動作を示す説明図であり、図４は本考案の実施の形態に係る複合電子装置の動作を示すフローチャートである。
【００１５】まず、図１の本考案の実施の形態に係る複合電子装置の構成を示すブロック図を基に説明する。
【００１６】複合電子装置１０は、アンテナ１９により受信された電波から選択されたチャンネルのテレビ放送を受信するチューナ１１と、チューナ１１により受信されたテレビ放送の映像音声信号を検波増幅する検波増幅回路１２と、ビデオテープに映像音声信号を記録再生するＶＣＲ部１３と、ＤＶＤ等の光ディスクに記録された映像音声信号を再生するＤＶＤ部１４と、ＶＣＲ部１３からの映像音声信号の出力とＤＶＤ部１４からの映像音声信号の出力とを切り換える出力切換部１５と、文字情報信号を映像信号に重畳して、文字情報をモニタ装置３０の画面に表示するＯＳＤ（Ｏｎ−Ｓｃｒｅｅｎ　Ｃｈａｒａｃｔｅｒ　Ｄｉｓｐｌａｙ）回路１６と、複合電子装置１０のシステム全体を制御するマイコン１７と、リモコン装置２０から送信された赤外線信号のリモコン信号を受信して、所定の電気信号に変換するリモコン受信部１８とで構成されている。
【００１７】また、図２の本考案の実施の形態に係る複合電子装置のリモコン装置を示す説明図を基に説明する。
【００１８】リモコン装置２０には、複合電子装置１０の動作モードをビデオテープに映像音声信号を記録再生するＶＣＲモードに切り換える動作モードの切り換えを指令指令するとともに、リモコン装置２０が送信するリモコン信号のコードをＶＣＲコードに切り換えるＶＣＲキー２０ａ、複合電子装置１０の動作モードをＤＶＤ等の光ディスクに記録された映像音声信号を再生するＤＶＤモードに切り換える動作モードの切り換えを指令するとともに、リモコン装置２０が送信するリモコン信号のコードをＤＶＤコードに切り換えるＤＶＤキー２０ｂ、チューナ１１により受信するテレビ放送のチャンネルの選択とＤＶＤ等の光ディスクのタイトル番号／チャプタ番号の選択とを指令する共通キーのテンキー２０ｃ、ＤＶＤ等の光ディスクのタイトル番号／チャプタ番号の前スキップとビデオテープの巻き戻しとを指令する共通キーの前スキップ／巻き戻しキー２０ｄ、ＤＶＤ等の光ディスクのタイトル番号／チャプタ番号の次スキップとビデオテープの早送りとを指令する共通キーの次スキップ／早送りキー２０ｅ、ＤＶＤ等の光ディスクの再生とビデオテープの再生とを指令する共通キーの再生キー２０ｆ、ＤＶＤ等の光ディスクの再生停止とビデオテープの記録再生停止とを指令する共通キーの停止キー２０ｇ、ＤＶＤ等の光ディスクの再生一時停止とビデオテープの再生一時停止とを指令する共通キーの一時停止キー２０ｈ等の各種操作キーが設けられていて、それらの操作キーを操作することにより、複合電子装置１０を所望動作させることができるようになっている。
【００１９】以上のように構成された複合電子装置について、以下その動作について説明する。
【００２０】赤外線信号のリモコン信号がリモコン装置２０から送信されると、送信された赤外線信号のリモコン信号が複合電子装置１０のリモコン受信部１８により受信され、所定の電気信号に変換されてマイコン１７に送出される。マイコン１７は、リモコン装置２０から送信されたリモコン信号を受信すると、受信したリモコン信号がＶＣＲキー２０ａのリモコン信号であるか、ＤＶＤキー２０ｂのリモコン信号であるか否かを判断して、受信したリモコン信号がリモコン装置２０のＶＣＲキー２０ａのリモコン信号である場合、ＶＣＲ部１３に制御信号を送出して、複合電子装置１０の動作モードをビデオテープに映像音声信号を記録再生するＶＣＲモードに切り換え、出力切換部１５に制御信号を送出して、ＯＳＤ回路１６を介してＶＣＲ部１３からの映像音声信号をモニタ装置３０に出力するように制御する。また、受信したリモコン信号がＤＶＤキー２０ｂのリモコン信号である場合、マイコン１７は、ＤＶＤ部１４に制御信号を送出して、複合電子装置１０の動作モードを光ディスクに記録された映像音声信号を再生するＤＶＤモードに切り換え、出力切換部１５に制御信号を送出して、ＯＳＤ回路１６を介してＤＶＤ部１４からの映像音声信号をモニタ装置３０に出力するように制御する。
【００２１】そして、マイコン１７は、リモコン受信部１８によりリモコン装置２０の共通キー２０ｃ〜２０ｈのリモコン信号を受信すると、受信したリモコン信号が複合電子装置１０の動作モードに対応したコードのリモコン信号であるか否かを判断して、複合電子装置１０の動作モードがＶＣＲモードのときに、ＶＣＲコードのリモコン信号を受信した場合、ＶＣＲ部１３に制御信号を送出して、受信したＶＣＲコードのリモコン信号により指令されたＶＣＲ部１３の動作を実行させる。また、複合電子装置１０の動作モードがＤＶＤモードのときに、ＤＶＤコードのリモコン信号を受信した場合、マイコン１７は、ＤＶＤ部１４に制御信号を送出して、受信したＤＶＤコードのリモコン信号により指令されたＤＶＤ部１４の動作を実行させる。
【００２２】また、受信したリモコン装置２０の共通キー２０ｃ〜２０ｈのリモコン信号のコードが複合電子装置１０の動作モードと異なる場合、マイコン１７は、ＯＳＤ回路１６に制御信号と文字情報信号とを送出して、文字情報信号を映像信号に重畳してモニタ装置３０に送出し、文字情報をモニタ装置３０の画面に表示する。複合電子装置１０の動作モードがＶＣＲモードであるとき、ＤＶＤコードのリモコン信号を受信した場合、マイコン１７は、ＯＳＤ回路１６に文字情報信号と制御信号とを送出して、受信したリモコン信号が複合電子装置１０の動作モードと異なるＤＶＤコードのリモコン信号であることをモニタ装置３０の画面３０ａに表示して、ユーザにその旨を報知する（図３（ａ）参照）。
【００２３】また、複合電子装置１０の動作モードがＤＶＤモードであるとき、ＶＣＲコードのリモコン信号を受信した場合、マイコン１７は、ＯＳＤ回路１６に制御信号と文字情報信号とを送出して、受信したリモコン信号が複合電子装置１０の動作モードと異なるＶＣＲコードのリモコン信号であることをモニタ装置３０の画面３０ａに表示して、ユーザにその旨を報知する（図３（ｂ）参照）。そして、マイコン１７は、複合電子装置１０の動作モードがＤＶＤモードであるときに、ＶＣＲコードのリモコン信号を受信した場合、制御信号をＶＣＲ部１３に送出して、受信されたＶＣＲコードのリモコン信号により指令されたＶＣＲ部１３の動作をバックグラウンドで実行させ、ＯＳＤ回路に文字情報信号と制御信号とを送出して、ＤＶＤ部１４からの映像信号の映像Ａが表示されているモニタ装置３０の画面３０ａにＶＣＲ部１３の動作状態Ｂを表示する（図３（ｃ）参照）。
【００２４】また、リモコン受信部１８により受信されたリモコン信号が複合電子装置の動作を指令するリモコン信号と異なるリモコン信号、例えば他の電子装置等の動作を指令するリモコン信号である場合、マイコン１７は、ＯＳＤ回路１６に文字情報信号と制御信号とを送出して、受信したリモコン信号が複合電子装置１０の動作を指令するリモコン信号と異なることをモニタ装置３０の画面３０ａに表示して、ユーザにその旨を報知する（図３（ｄ）参照）。
【００２５】また、図４の本考案の実施の形態に係る複合電子装置の動作を示すフローチャートを基に説明する。
【００２６】リモコン装置から送信されたリモコン信号を受信すると、ステップＳ１からステップＳ２に進み、ステップＳ２で、受信されたリモコン信号がＶＣＲキーのリモコン信号であるか否かが判断され、受信されたリモコン信号がＶＣＲキーのリモコン信号である場合、ステップＳ３に進み、受信されたリモコン信号がＶＣＲキーのリモコン信号でない場合、ステップＳ４に進む。
【００２７】ステップＳ３で、複合電子装置の動作モードがビデオテープに映像音声信号を記録再生するＶＣＲモードに切り換えられ、ステップＳ１５に進んで処理を終了する。
【００２８】ステップＳ４で、受信されたリモコン信号がＤＶＤキーのリモコン信号であるか否かが判断され、受信されたリモコン信号がＤＶＤキーのリモコン信号である場合、ステップＳ５に進み、受信されたリモコン信号がＤＶＤキーのリモコン信号でない場合、ステップＳ６に進む。
【００２９】ステップＳ５で、複合電子装置の動作モードが光ディスクに記録された映像音声信号を再生するＤＶＤモードに切り換えられ、ステップＳ１５に進んで処理を終了する。
【００３０】ステップＳ６で、受信されたリモコン信号がＶＣＲコードのリモコン信号であるか否かが判断され、受信されたリモコン信号がＶＣＲコードのリモコン信号である場合、ステップＳ７に進み、受信されたリモコン信号がＶＣＲコードのリモコン信号でない場合、ステップＳ１０に進む。
【００３１】ステップＳ７で、複合電子装置の動作モードがビデオテープに映像音声信号を記録再生するＶＣＲモードであるか否かが判断され、複合電子装置の動作モードがＶＣＲモードである場合、ステップＳ８に進み、複合電子装置の動作モードがＶＣＲモードでない場合、ステップＳ９に進む。
【００３２】ステップＳ８で、受信されたＶＣＲコードのリモコン信号により指令されたＶＣＲ部の動作が実行され、ステップＳ１５に進んで処理を終了する。
【００３３】ステップＳ９で、受信されたリモコン信号が複合電子装置の動作モードと異なるＶＣＲコードのリモコン信号であることがモニタ装置の画面に表示され、受信されたＶＣＲコードのリモコン信号により指令されたＶＣＲ部の動作がバックグラウンドで実行されて、その動作状態がモニタ装置の画面に表示され、ステップＳ１５に進んで処理を終了する。
【００３４】ステップＳ１０で、受信されたリモコン信号がＤＶＤコードのリモコン信号であるか否かが判断され、受信されたリモコン信号がＤＶＤコードのリモコン信号である場合、ステップＳ１１に進み、受信されたリモコン信号がＤＶＤコードのリモコン信号でない場合、ステップＳ１４に進む。
【００３５】ステップＳ１１で、複合電子装置の動作モードが光ディスクに記録された映像音声信号を再生するＤＶＤモードであるか否かが判断され、複合電子装置の動作モードがＤＶＤモードである場合、ステップＳ１２に進み、複合電子装置の動作モードがＤＶＤモードでない場合、ステップＳ１３に進む。
【００３６】ステップＳ１２で、受信されたＤＶＤコードのリモコン信号により指令されたＤＶＤ部の動作が実行され、ステップＳ１５に進んで処理を終了する。
【００３７】ステップＳ１３で、受信されたリモコン信号が複合電子装置の動作モードと異なるＤＶＤコードのリモコン信号であることがモニタ装置の画面に表示され、ステップＳ１５に進んで処理を終了する。
【００３８】ステップＳ１４で、受信されたリモコン信号が複合電子装置の動作を指令するリモコン信号と異なることがモニタ装置の画面に表示され、ステップＳ１５に進んで処理を終了する。
【００３９】以上、本考案の実施の形態について詳述したが、本考案はこれに限らず、当業者の通常の知識の範囲内でその変形や改良が可能である。例えば、受信したリモコン信号が複合電子装置の動作モードと異なるコードのリモコン信号、或いは複合電子装置と異なるリモコン信号であるとき、その旨を複合電子装置に接続されたモニタ装置の画面に表示してユーザに報知することを説明したが、複合電子装置の表示パネルに表示してユーザに報知するようにしてもよい。
【００４０】
【考案の効果】以上説明してきたように、本考案による複合電子装置によれば、リモコン装置から送信されたリモコン信号を受信したとき、受信したリモコン信号が複合電子装置の動作モードと異なるコードのリモコン信号である場合、リモコン信号のコードが異なることをモニタ装置の画面に表示することができ、受信したリモコン信号のコードに対応したＡＶ機器をバックグラウンドで動作させて、当該ＡＶ機器の動作状態をモニタ装置の画面に表示することができる。また、受信したリモコン信号が複合電子装置の動作を指令するリモコン信号と異なる他のリモコン信号である場合、リモコン信号が異なることをモニタ装置の画面に表示することができる。このことにより、複合電子装置の動作モードと異なるコードのリモコン信号を受信したとき、或いは異なる他のリモコン信号を受信したとき、リモコン信号が異なることをユーザに報知することができる。
【００４１】請求項１記載の考案に係る複合電子装置は、リモコン装置から送信されたリモコン信号を受信し、受信したリモコン信号が複合電子装置の動作モードに対応したコードのリモコン信号であるか否かを判別して、受信したリモコン信号が複合電子装置の動作モードと異なるコードのリモコン信号であるとき、リモコン信号のコードが異なることを表示し、受信したリモコン信号が複合電子装置の動作を指令するリモコン信号と異なるリモコン信号であるとき、リモコン信号が異なることを表示し、受信したリモコン信号が複合電子装置の動作モードと異なるコードのリモコン信号であるとき、受信したリモコン信号のコードに対応したＡＶ機器をバックグラウンドで動作させるようにしているので、リモコン装置から送信されたリモコン信号のコードが複合電子装置の動作モードと異なる場合、或いはリモコン信号が複合電子装置のリモコン信号でない場合、ユーザにその旨を報知することができ、ユーザは、ＤＶＤ等の光ディスクを再生しながら、ビデオテープの巻き戻し等をすることができる。
【００４２】請求項２記載の考案に係る複合電子装置は、リモコン装置から送信されたリモコン信号を受信し、受信したリモコン信号が複合電子装置の動作モードに対応したコードのリモコン信号であるか否かを判別して、判別結果を表示し、判別結果に基づいて複合電子装置の動作を制御するようにしているので、リモコン装置から送信されたリモコン信号のコードが複合電子装置の動作モードと異なる場合、或いはリモコン装置が複合電子装置のリモコン装置でない場合、ユーザにその旨を報知することができる。
【００４３】請求項３記載の考案に係る複合電子装置は、受信したリモコン信号が複合電子装置の動作モードと異なるコードのリモコン信号であるとき、リモコン信号のコードが異なることを表示するようにしているので、リモコン装置から送信されたリモコン信号のコードが複合電子装置の動作モードと異なる場合、ユーザにその旨を報知することができる。
【００４４】請求項４記載の考案に係る複合電子装置は、受信したリモコン信号が複合電子装置の動作を指令するリモコン信号と異なるリモコン信号であるとき、リモコン信号が異なることを表示するようにしているので、複合電子装置の動作を指令するリモコン装置でない場合、ユーザにその旨を報知することができる。
【００４５】請求項５記載の考案に係る複合電子装置は、受信したリモコン信号が複合電子装置の動作モードと異なるコードのリモコン信号であるときに、受信したリモコン信号のコードに対応したＡＶ機器をバックグラウンドで動作させるようにしているので、ユーザは、ＤＶＤ等の光ディスクを再生しながら、ビデオテープの巻き戻し等をすることができる。
【図面の簡単な説明】
【図１】本考案の実施の形態に係る複合電子装置の構成を示すブロック図である。
【図２】本考案の実施の形態に係る複合電子装置のリモコン装置を示す説明図である。
【図３】本考案の実施の形態に係る複合電子装置の動作を示す説明図である。
【図４】本考案の実施の形態に係る複合電子装置の動作を示すフローチャートである。
【符号の説明】
１０　複合電子装置
１１　チューナ
１２　検波増幅回路
１３　ＶＣＲ部
１４　ＤＶＤ部
１５　出力切換部
１６　ＯＳＤ回路
１７　マイコン
１８　リモコン受信部
１９　アンテナ
２０　リモコン装置
２０ａ　ＶＣＲキー
２０ｂ　ＤＶＤキー
２０ｃ　テンキー（共通キー）
２０ｄ　前スキップ／巻き戻しキー（共通キー）
２０ｅ　次スキップ／早送りキー（共通キー）
２０ｆ　再生キー（共通キー）
２０ｇ　停止キー（共通キー）
２０ｈ　一時停止キー（共通キー）
３０　モニタ装置
３０ａ　画面
【図１】
0003098506.tif 000003
【図２】
0003098506.tif 000004
【図３】
0003098506.tif 000005
【図４】
0003098506.tif 000006